(57)【特許請求の範囲】
【請求項１】
現場に供給される水を用途に適した水質となるように調整する水処理方法において、
水が使用される現場での水の用途を認識する段階と、
現場に供給されている水の水質を検査する段階と、
前記供給されている水を前記用途に適した水質とするために必要な少なくとも一つの濾材の種類を選択し、その量を決定する段階と、
給水管に取り付けるための水処理ユニットにして、前記濾材を内部に充填可能な本体管と、前記本体管の開口端部に着脱自在に設けることができ、該本体管内に充填された前記濾材が流出しないように該本体管の流路断面全体に広がるメッシュを有するストッパと、前記本体管の前記開口端部と同口径の内端部と前記給水管に連結可能な径の外端部とを有する接続管と、前記本体管の前記開口端部と前記接続管の前記内端部との周囲に着脱自在に取り付けられて、前記本体管と前記接続管とを互いに連結可能なリング状のクランプ手段と、を備える水処理ユニットを準備する段階と、
前記選択された種類の濾材を決定された量だけ前記本体管に充填するとともに、前記ストッパを前記本体管の前記開口端部に取り付ける段階と、
前記本体管と前記接続管とを前記クランプ手段によって互いに連結するとともに、前記接続管を前記給水管に連結する段階と、
前記水処理ユニットを通して水を流す段階と、
を備えてなる水処理方法において、
前記本体管が、充填されるべき前記濾材の量に応じて所望の径の管を現場にて所望の長さに切断することによって製作されることを特徴とする水処理方法。
【請求項２】
請求項１に記載の水処理方法にして、
前記本体管の前記開口端部と前記接続管の前記内端部との外周面には環状溝が形成されており、前記クランプ手段の内周面には前記環状溝内に係合可能な突起が形成されており、前記クランプ手段を取り付けた際に前記環状溝と前記突起とが互いに協働して前記本体管と前記接続管との軸方向相対移動を防止するようになされており、
前記本体管の前記開口端部の外周面における前記環状溝の形成が、現場にてローラを用いて圧縮するロールグルービング加工により行われることを特徴とする水処理方法。
【請求項３】
請求項１または２に記載の水処理方法にして、
前記本体管が少なくとも１本の分岐管を有しており、それぞれ異なる種類または量の濾材を通過してきた異なる水質の水が複数の開口端部から流出することを特徴とする水処理方法。
【請求項４】
請求項１ないし３のいずれかに記載の水処理方法にして、
前記接続管を前記給水管に連結する前記段階において、ステンレス製の波状フレキシブル管を介して前記接続管を前記給水管に連結することを特徴とする水処理方法。
【請求項５】
給水管に取り付けるための水処理ユニットにして、
本体管と、
該本体管内に充填される少なくとも１種の濾材と、
前記本体管の開口端部に着脱自在に設けられ、 該本体管内に充填された前記濾材が流出しないように該本体管の流路断面全体に広がるメッシュを有するストッパと、
前記本体管の前記開口端部と同口径の内端部と前記給水管に連結可能な径の外端部とを有する接続管と、
前記本体管の前記開口端部と前記接続管の前記内端部との周囲に着脱自在に取り付けられて、前記本体管と前記接続管とを互いに連結するリング状のクランプ手段と、
を備え、
前記本体管が少なくとも１本の分岐管を有しており、それぞれ異なる種類または量の濾材を通過してきた異なる水質の水が複数の開口端部から流出するようになされている、
水処理ユニット。
【請求項６】
請求項５に記載の水処理ユニットにして、
前記本体管の前記開口端部と前記接続管の前記内端部との外周面には、径方向の凹凸部が形成されており、前記クランプ手段の内周面には前記凹凸部と係合可能な凹凸部が形成されており、双方の凹凸部は、互いに協働して前記本体管と前記接続管との軸方向相対移動を防止するようになされている、水処理ユニット。
【請求項７】
請求項６に記載の水処理ユニットにして、
前記開口端部と前記内端部との外周面に形成された前記凹凸部が環状溝であり、前記クランプ手段の内周面に形成された前記凹凸部が前記環状溝内に係合可能な突起であること、を特徴とする水処理ユニット。
【請求項８】
請求項７に記載の水処理ユニットにして、
前記本体管の前記開口端部の内周面に突出部が形成されており、
前記ストッパが、外力を加えることにより弾性変形して径を縮小し、それによって前記開口端部の外方から前記突出部を越えて前記本体管の内部に入り込むことができ、一方、前記突出部の軸方向内側の位置で前記外力を解放することにより前記ストッパ自身の弾性復帰力によって径を拡張し、それによって前記突出部の軸方向内側の位置にとどまるようになされている、ことを特徴とする水処理ユニット。
【請求項９】
請求項８に記載の水処理ユニットにして、
前記本体管の前記開口端部の内周面に形成された前記突出部が、ローラを用いて圧縮するロールグルービング加工により前記開口端部の外周面に前記環状溝を形成する際に同時に形成された環状突出部である、ことを特徴とする水処理ユニット。
【請求項１０】
請求項６に記載の水処理ユニットにして、
前記開口端部と前記内端部との外周面に形成された前記凹凸部が突起であり、前記クランプ手段の内周面に形成された前記凹凸部が前記突起と係合可能な凹所であること、を特徴とする水処理ユニット。
【発明の詳細な説明】
【０００１】
【発明の属する技術分野】
本発明は、水処理方法およびそれに用いる水処理ユニットに関する。さらに詳しく言えば、本発明は、現場に供給される水をその用途に適した水質となるように個別に調節することのできる水処理方法および水処理ユニットに関する。
【０００２】
【従来の技術】
現場で求められる水質は、使用される水の用途によって異なる。一般家庭、レストラン、病院、工場、農場などの施設では、それぞれの施設で使用される水の用途は大きく異なり、したがって、要求される水質もさまざまである。また、同じ給水源から水を供給されるひとつの施設（例えばビル）内に、診療所、クリーニング店、生鮮食料品店など多種類の店舗が入っている場合、それぞれの店舗にとって望ましい水質は互いに異なる。さらに言えば、ひとつの店舗でもレストランやスーパーマーケットの場合、その厨房での水の用途は食器洗い用、あくぬき用、野菜洗い用、魚洗い用、料理用など多岐にわたり、それぞれの用途には異なる水質の水が適している。
【０００３】
このように、水の用途は大きく分けることも細かく分けることもできるが、いずれにしても、それぞれの用途に適した水質の水が個別の使用現場で容易に利用できることが望ましい。
【０００４】
大きな設備を必要とすることなく、給水源からの水を個別の使用現場で所望の水質とするには、給水管に水処理ユニットを取り付け、水が水処理ユニットで濾過される際に処理されるようにするとよいと考えられる。このような水処理方法として、蛇口またはその近くに設けられる浄水器を用いたものがある。かかる浄水器は、主に飲料用に適した水を得るためのものとして普及しており、浄水器内には１種または数種の濾材があらかじめ充填されている。取り外し可能なカートリッジ内に濾材がパックされている浄水器も知られており、この場合、使用済みのカートリッジを新品のものと簡単に交換することができる。
【０００５】
しかしながら、これらの浄水器として知られる従来の水処理ユニットは、カートリッジ式のものも含めて、充填される濾材の種類や量はあらかじめ定められている。このことは幾つかの不具合をもたらす。第１に、使用現場に供給される水は給水源によって水質が異なるので、それを処理する濾材の種類や量が一定だと、同じ水処理ユニットを使用しても同じ水質を得るということができない場合がある。第２に、濾材の種類や量が一定だと、多岐にわたる用途にそれぞれ適合した異なる水質を得ることができない。第３に、仮に、それぞれ異なる水処理ができる複数種類の水処理ユニットまたはカートリッジを用意したとしても、給水源から供給される水質を厳密に所望の水質に調節することのできる水処理ユニットまたはカートリッジを選定することは難しい。第４に、水処理ユニットまたはカートリッジを分解して濾材の種類や量を任意に変えようとしても、従来の水処理ユニットまたはカートリッジはそれが容易にできるような構造になっていないので、実質的に不可能である。第５に、災害時などで緊急に河川や貯水池の水あるいは農業用水または工業用水を飲料水としたいときに、従来の水処理ユニットは能力においても取付けの迅速性においても不十分であった。
【０００６】
【発明が解決しようとする課題】
そこで本発明が解決しようとする課題は、現場で使用される水を所望の水質に処理するための水処理方法および水処理ユニットであって、上記不具合の少なくとも幾つかを解消するものを提供することにある。
【０００７】
【課題を解決するための手段】
本発明によれば、現場に供給される水を用途に適した水質となるように調整する水処理方法において、
水が使用される現場での水の用途を認識する段階と、
現場に供給されている水の水質を検査する段階と、
前記供給されている水を前記用途に適した水質とするために必要な少なくとも一つの濾材の種類を選択し、その量を決定する段階と、
給水管に取り付けるための水処理ユニットにして、前記濾材を内部に充填可能な本体管と、前記本体管の開口端部に着脱自在に設けることができ、該本体管内に充填された前記濾材が流出しないように該本体管の流路断面全体に広がるメッシュを有するストッパと、前記本体管の前記開口端部と同口径の内端部と前記給水管に連結可能な径の外端部とを有する接続管と、前記本体管の前記開口端部と前記接続管の前記内端部との周囲に着脱自在に取り付けられて、前記本体管と前記接続管とを互いに連結可能なリング状のクランプ手段と、を備える水処理ユニットを準備する段階と、
前記選択された種類の濾材を決定された量だけ前記本体管に充填するとともに、前記ストッパを前記本体管の前記開口端部に取り付ける段階と、
前記本体管と前記接続管とを前記クランプ手段によって互いに連結するとともに、前記接続管を前記給水管に連結する段階と、
前記水処理ユニットを通して水を流す段階と、
を備えてなる水処理方法が提供される。
【０００８】
前記本体管は、充填されるべき前記濾材の量に応じて所望の径の管を現場にて所望の長さに切断することによって製作することができる。
前記本体管の前記開口端部と前記接続管の前記内端部との外周面に環状溝を形成し、前記クランプ手段の内周面には前記環状溝内に係合可能な突起を形成し、前記クランプ手段を取り付けた際に前記環状溝と前記突起とが互いに協働して前記本体管と前記接続管との軸方向相対移動を防止するようにし、
前記本体管の前記開口端部の外周面における前記環状溝の形成を、現場にてローラを用いて圧縮するロールグルービング加工により行うようにしてもよい。
【０００９】
前記本体管が少なくとも１本の分岐管を有しており、それぞれ異なる種類または量の濾材を通過してきた異なる水質の水が複数の開口端部から流出するようにしてもよい。
【００１０】
前記接続管を前記給水管に連結する前記段階において、ステンレス製の波状フレキシブル管を介して前記接続管を前記給水管に連結することができる。
本発明によればさらに、給水管に取り付けるための水処理ユニットにして、
本体管と、
該本体管内に充填される少なくとも１種の濾材と、
前記本体管の開口端部に着脱自在に設けられ、該本体管内に充填された前記濾材が流出しないように該本体管の流路断面全体に広がるメッシュを有するストッパと、
前記本体管の前記開口端部と同口径の内端部と前記給水管に連結可能な径の外端部とを有する接続管と、
前記本体管の前記開口端部と前記接続管の前記内端部との周囲に着脱自在に取り付けられて、前記本体管と前記接続管とを互いに連結するリング状のクランプ手段と、を備えた水処理ユニットが提供される。
【００１１】
前記本体管の前記開口端部と前記接続管の前記内端部との外周面に、径方向の凹凸部を形成し、前記クランプ手段の内周面には前記凹凸部と係合可能な凹凸部を形成し、双方の凹凸部が互いに協働して前記本体管と前記接続管との軸方向相対移動を防止するようにしてもよい。
【００１２】
前記開口端部と前記内端部との外周面に形成された前記凹凸部を環状溝とし、前記クランプ手段の内周面に形成された前記凹凸部を前記環状溝内に係合可能な突起とすることができる。
【００１３】
前記本体管の前記開口端部の内周面に突出部を形成し、
前記ストッパを、外力を加えることにより弾性変形して径を縮小し、それによって前記開口端部の外方から前記突出部を越えて前記本体管の内部に入り込むことができ、一方、前記突出部の軸方向内側の位置で前記外力を解放することにより前記ストッパ自身の弾性復帰力によって径を拡張し、それによって前記突出部の軸方向内側の位置にとどまるようなものとすることができる。
【００１４】
前記本体管の前記開口端部の内周面に形成された前記突出部を、ローラを用いて圧縮するロールグルービング加工により前記開口端部の外周面に前記環状溝を形成する際に同時に形成された環状突出部とすることができる。
【００１５】
前記開口端部と前記内端部との外周面に形成された前記凹凸部を突起とし、前記クランプ手段の内周面に形成された前記凹凸部を前記突起と係合可能な凹所とすることができる。
【００１６】
【発明の実施の形態】
図１は本発明の水処理方法に用いられる水処理ユニットを示す図であり、ａは側面図、ｂ縦断面図であらわしている。水処理ユニット１は、本体管２と、接続管３と、本体管２および接続管３を互いに連結するクランプ手段４とを備える。図１ｂではクランプ手段４を図示省略してある。先に水処理ユニット１の構成について説明し、しかる後、この水処理ユニットを用いた水処理方法について説明する。
【００１７】
図１に示した本体管２は、市販品のＳＵＳ管を所望の長さに切断したものであり、両端に開口端部５，６を有している。開口端部５，６のそれぞれの外周面には、後述するクランプ手段４の環状突起と係合するための環状溝７が形成されている。一方、開口端部５，６のそれぞれの内周面には、環状溝７に対応する軸方向位置にて、環状突出部８が形成されている。
【００１８】
本体管２の両端に隣接して配置される接続管３は、本体管２と同じくＳＵＳ管から作られる。接続管３は、本体管２の開口端部５，６と同口径の内端部９と、水処理ユニット１が組み込まれるところの給水管（図示せず）に連結可能な径の外端部１０とを有する。接続管３の内端部９の外周面には、環状溝７と同様の環状溝１１が形成されている。内端部９の内周面には、環状突出部８と同様の環状突出部１２が形成されている。なお、図１において、水は左側の接続管３の外端部１０から水処理ユニット１内に入り、右側の接続管３の外端部１０から出てゆく。
【００１９】
環状溝７，１１は、矩形断面のものでも、Ｖ字形断面のものでもよいが、Ｕ字形断面、半円形断面または円弧状断面などのように、曲線的な傾斜面を有するものが好ましい。ローラを用いて圧縮するロールグルービング加工により環状溝７，１１を形成した場合、その断面形状に対応した断面形状を有する環状突出部８，１２が自動的に形成される。
【００２０】
切削機を用いたカットグルービング加工により環状溝７，１１を形成し、環状突出部８，１２を別個に形成するようにしてもよい。この場合、環状突出部８，１２に代えて、周方向に沿って等間隔に間をおかれた数カ所の位置に突出部を設けるようにしてもよい。
【００２１】
本体管２内には、それぞれ種類の異なる濾材１３ａ，１３ｂおよび１３ｃが充填される。給水される水の水質を、用途に応じた所望の水質になるよう調節するため、濾材としては多くの種類のものが組み合わせて用いられる。濾材には、天然の物、半天然の物（例えば天然の物を焼いた物）、人工の物（例えば人工セラミックス）があり、有機物を含む物、無機物を含む物とさまざまであるが、既存の物だけでなく、用途に応じて新規に開発した物もまた利用可能である。幾つかの例を挙げれば、セラミック粒（アルカリ系の水質にする。配管の防錆効果がある。クラスター効果があり、洗濯効果を高める。細胞活性作用あり。飲料系に可）、花崗岩粒（ミネラル付加。クラスター効果あり。飲料用に適）、カルシウム粒（アルカリ系の水質にする。配管の防錆効果がある。農薬除去効果あり。中水道系に適）、活性炭（塩素除去効果あり。花崗岩粒と組み合わせることによりトリハロメタンの除去効果あり。飲料系に適）、金属酵素（細胞活性作用あり）、電気石（クラスター効果あり。洗濯効果を高める。飲料系に可。細胞活性作用あり）、酸性化粒（酸性の水質にする。殺菌効果あり）などが利用できる。他にも、磁性体を用いることもできる。また、半透膜を用いて鉛イオンなどの除去を行うこともできる。
【００２２】
それぞれの濾材が本体管２から流出しないように、開口端部５にはストッパ１４が取り付けられ、開口端部６にはストッパ１５，１６が取り付けられる。また、それぞれの濾材が混じり合わないように、濾材間には中仕切り１７が配置される。
【００２３】
図２に、ストッパ１４，１５，１６の一つの形態を示す。各ストッパは、切り欠き１８を有する帯状のリング部材１９を備えている。リング部材１９の一方の側面上には、ＳＵＳ製の細い線からなるメッシュ（網）２０が張られている。図では目が粗く表現されているが、実際には濾材の粒子が通過しにくい程度の目の大きさとされる。メッシュ２０は、本体管２の流路断面全体に広がっている。切り欠き１８に対して直径方向対向位置にあるリング部材１９上の一点からは、放射状に複数枚（図示実施例では４枚）の補強プレート２１が延びている。これらの補強プレート２１はメッシュ２０の支持を補強するものであり、各補強プレート２１の両端部はリング部材１９に連結されている。
【００２４】
各ストッパのリング部材１９は、ばね性を有する材料で作られており、外周面に半径方向内方の外力を加えることにより、弾性変形して径を縮小することができる。また、この外力を解放することにより、自身の弾性復帰力によって径を拡張し、元の大きさに戻ることができる。この性質を利用し、ストッパ１４，１５，１６を本体管２の開口端部５，６における環状突出部８の軸方向内側の位置へとどめておくことができる。図３を参照されたい。外力が加えられていない状態では、環状突出部８の内径より大きい外径を有するストッパ１５は、例えば手でリング部材１９の外周面を押さえられることにより、図３に符号１５ａで示すようにその外径を環状突出部８の内径よりも小さくすることができる。このとき、切り欠き１８の隙間は閉じられる。ストッパ１５ａは、この状態で開口端部６の外方から環状突出部８を越えて本体管２の内部に入り込むことができる。その後、リング部材１９から外力を解放することにより、ストッパ１５ａはリング部材１９の弾性復帰力によって符号１９ｂで示すように元の外径まで拡張される。これにより、ストッパ１５は環状突出部８の軸方向内側の位置にとどまり、本体管２の開口端部６から外方へと外れてしまうことがない。濾材の交換などのためにストッパ１５を取り外すときには、例えば補強プレート２１を指で押さえることによりストッパ１５の外径を縮小させ、環状突出部８を越えてストッパ１５を開口端部６から取り出す。ストッパ１４，１６の場合も同様である。なお、本体管２の開口端部６の側に二つのストッパ１５，１６を配置するのは、開口端部６が出口側であり、濾材の流出防止に一層の配慮をする必要があるからである。ストッパ１５，１６は、それぞれの切り欠き１８が直径方向対向位置となるように（すなわち１８０度反対側の位置となるように）配置される。
【００２５】
本体管２の開口端部６の側に二つのストッパ１４，１６を配置するのに、図８に示す方式を用いてもよい。この場合、ストッパ１５を環状突出部８の軸方向内側に配置し、ストッパ１６を環状突出部８の軸方向外側に配置している。ストッパ１６は、径を縮小させる必要がないので、リング部材１９に切り欠き１８を設けなくてもよい。ストッパ１６を押さえるため、接続管３の環状突出部１２の軸方向内側に押さえリングＲが配置される。押さえリングＲは、ストッパと同様の構造でメッシュを有するものとしてもよいが、ストッパ１６を押さえるという目的上、ストッパのリング部材１９と同等の構造（メッシュ無し）であれば十分である。押さえリングＲも径を縮小させる必要がないので、切り欠きを設ける必要がない。押さえリングＲの材質としては、ステンレスが好ましいが、プラスチックでもよい。
【００２６】
中仕切り１７もまた、ストッパ１４，１５，１６と同様の構成にすることができる。この場合、補強プレート２１を省略してもいい。あるいはまた、外径が環状突出部８の内径よりも若干小さいリング部材であって、切り欠きの無いリング部材に、メッシュを取り付けた簡単な構造のものを利用してもよい。
【００２７】
各ストッパおよび中仕切りのリング部材１９と補強プレート２１とは、プラスチック材料で作ることもできる。この場合、ステンレス製のメッシュ２０は、加熱して柔らかくなったプラスチック材料の中に埋め込むようにして固着される。例えば、中仕切り１７のリング部材はプラスチック製にし、ストッパ１４，１５，１６のリング部材はステンレス製とすることもできる。
【００２８】
リング状のクランプ手段４としては、グルービング対応、すなわち環状溝７，１１に係合可能な環状突起を備えた市販品のハウジング継手を利用することができる。図１ａに示したクランプ手段４のそれぞれは、互いに対称的な形状をした二つの半円状部材２２を備えている（図１ａでは一方のみが見えている）。半円状部材２２の内周面には、環状溝７，１１と係合可能な環状突起が形成されている。本体管２の開口端部５，６と接続管３の内端部９とを合わせる際には、パッキンとしてのゴムリング（図示せず）を間に挟持させる。半円状部材２２を本体管２の開口端部５，６と接続管９との周囲に配置するとき、半円状部材２２の内周面の環状突起が、本体管２の開口端部５，６の外周面の環状溝７および接続管３の内端部９の外周面の環状溝１１内に確実に係合するようにする。しかる後、各半円状部材２２の両端部の半径方向張り出し部２３どうしをボルト２４およびナットで締結することにより、本体管２と接続管３とは互いに確実に連結される。クランプ手段４の環状突起と本体管２および接続管３の環状溝７．１１とが係合すると、両者が互いに協働することにより、本体管２と接続管３とが互いに軸方向にずれて内部流体が漏れることは確実に防止される。一方、双方の管のわずかな半径方向相対移動は許容され、地震等により連結部分に加わるかも知れない半径方向の剪断力はある程度吸収することができる。
【００２９】
上述の説明では、二つの半円状部材２２どうしを両端部の二カ所でボルト締めすることとしているが、一方の端部側を蝶番構造とし、他方の端部側でのみボルト締めを行うようにしてもよい。
【００３０】
また、リング状のクランプ手段が三つに分割された円弧状部材から構成されるようにしてもよい。この場合、一つの円弧状部材の両端部は、他の二つの円弧状部材のそれぞれと蝶番構造によって連結されている。そして、当該他の二つの円弧状部材の残った端部どうしが、ボルト締めにより連結される。
【００３１】
リング状のクランプ手段として、内周面に環状突起の代わりに環状溝を備えたものを利用することもできる。この場合、本体管２の開口端部５，６の外周面および接続管３の内端部の外周面には、この環状溝と係合可能な環状突起あるいは等間隔に配置された複数の突起が形成される。これら環状溝と突起とは、互いに協働して本体管２と接続管３との軸方向相対移動を防止する。
【００３２】
次に、上述した水処理ユニット１を用いた水処理方法について説明する。最初に行われるのは、水が使用される現場での水の用途を認識することである。前述したように、水の用途はさまざまである。いくつかの例を挙げれば、住居やオフィスビルで主に飲用として使用する場合、食品加工場やレストラン、スーパーマーケットなどで飲用、調理用、魚洗い用（殺菌性を有することが好ましい）、食器洗い用など区別して使用する場合、淡水または海水を使う養魚場で使用する場合、水耕栽培用として使用する場合、家畜用として使用する場合、病院で多岐にわたる用途で区別して使用する場合、などがある。それぞれの用途によって、求められる水質は異なる。
【００３３】
水の用途を認識する段階と同時に、あるいは前後して行わなければならないのは、現場に供給されている水の水質を検査することである。供給されている水の水質が異なれば、同じ水処理をしても、得られる水の水質は完全に同じにはならない。
【００３４】
次に、供給されている水を、用途に適した水質とするために必要な濾材の種類を選択する。濾材の種類は１種類で済む場合もあれば、数種類を組み合わせて使用することが必要になることもある。また、各濾材の量や、濾材どうしの量の比率もこの時点で決定される。この決定に際しては、前述した水処理ユニット１が組み込まれる給水管における流量も考慮される。
【００３５】
求められる水質を得るために必要な濾材の種類と量が決まったら、水処理ユニット１の本体管２が作られる。現場には何種類かの径の管を用意しておき、濾材の全体量に合わせて適当な径の管を所望の長さに切断することにより、本体管２を得る。
【００３６】
必要量の濾材を充填するのに適当な長さの本体管２が得られたら、その開口端部５，６の外周面に環状溝７を形成する。ローラを用いて圧縮するロールグルービング装置を利用すれば、前述したように、内周面側の環状突出部８を同時に形成することができる。切削機を利用して環状溝７を形成する場合には、内周面の環状突出部８またはこれに代わる等間隔配置の突出部が溶接等の手段により形成される。
【００３７】
次に濾材を充填する。最初に本体管２の一方の開口端部５または６をストッパで塞ぐ。ここでは、流出側の開口端部６を２枚のストッパ１５および１６で先に塞いでおくことにする。前述したように、ストッパ１５，１６は、外力を加えて径を小さくしてから環状突出部８を越えさせ、そこで外力を解放して元の径に戻す。ストッパ１５，１６が配置されたら、濾材１３ａを必要量だけ本体管２内に充填する。中仕切１７を入れた後、別の種類の濾材１３ｂを充填する。もう１枚の中仕切１７を入れ、最後の種類の濾材１３ｃを充填する。すべての濾材が充填し終わった後、流入側の開口端部５をストッパ１４で塞ぐ。こうして、必要な種類および量の濾材が充填された本体管２が、濾材の流出の心配が無い、取り扱いやすい状態で提供される。
【００３８】
次に、接続管３を給水管に連結する。接続管３は、内端部９が本体管２の開口端部５，６と同口径で、外端部１０が給水管に連結可能な径のものを使用する。本体管２の径および給水管の径に合わせて、数種の径寸法のものをあらかじめ用意しておく。本体管２と異なり、濾材の量いかんで接続管３の軸方向長さを調節する必要はないので、外周面における環状溝１１は、あらかじめ形成しておくことができる。接続管３の外端部１０と給水管との連結には、公知の適当な方法を用いることができる。例えば、ステンレス製の波状フレキシブル管を介して接続管３の外端部１０を給水管に連結するようにしてもよい。
【００３９】
最後に、リング状のクランプ手段４を用いて本体管２と接続管３とを互いに連結する。この方法については前述したので、ここでは繰り返さない。本体管２と接続管３との連結が終了すると、給水管に水処理ユニット１が取り付けられた状態となる。この状態で水処理ユニット１を通して水を流すと、所望の水質の水が得られる。
【００４０】
濾材を交換するには、クランプ手段４を外して本体管２を抜き取り、ストッパ１４を取り外す。濾材の交換が終わったら、再び本体管２を元の位置に戻し、クランプ手段４で接続管３に連結すればよい。
【００４１】
水処理ユニット１の設置場所は多様である。図４の（ａ）ないし（ｄ）には一般住宅の住戸外に設置する態様を示す。（ａ）は、給水縦管２５と住戸内との間の比較的大きなメーターボックス２６内に水処理ユニット１が設置される例である。（ｂ）ないし（ｄ）は、狭いメーターボックス２６の外部に水処理ユニット１を設置した例である。（ｃ）は天井吊り型、（ｄ）は濾材を分けた複数の水処理ユニット１を設けた分散型である。図４の（ｅ）は、住戸内に水処理ユニット１を設置する例である。図示例では住戸内の天井に設置してあるが、その他の空いているスペースを利用することもできる。
【００４２】
図５は、水処理ユニットをマンション２７の共用部に設置する例を模式的に示す図である。図中、符号２８は、外部給水源からの水をポンプ２９で屋上まで揚水する際に使用する給水縦管３０に取り付けられた水処理ユニットのセットを示す。符号３１は、揚水された水を一度高所に上げられてから処理する場合に使用される、マンション２７の屋上に設置した水処理ユニットのセットを示す。符号３２は、屋上から各戸まで延びる給水縦管３３に設けられた水処理ユニットのセットを示す。各セット２８，３１，３２とも、大量の水を処理するため、水処理ユニットを３本並列配置している。水処理ユニットのセット２８，３１，３２のうち、いずれか一つのセットのみを設置してもよいし、２セット以上を設置するようにしてもよい。複数のセットを使用する場合には、より大量の水を処理でき、また、セットごとに異なる濾材を充填するようにもできる。
【００４３】
本発明による水処理ユニットは、図６に示すような形態をとることもできる。この実施例では、本体管２が、分岐管である２つのチーズ２ａ、２ｂおよび３つの直管２ｃ，２ｄ，２ｅから成っている。チーズ２ａの開口端部には流入側の接続管３ａ、チーズ２ｂおよび直管２ｃが連結されており、直管２ｃの流出側には接続管３ｃが連結されている。チーズ２ｂの開口端部にはチーズ２ａが連結されているほか、直管２ｄおよび２ｅが連結されている。直管２ｄおよび２ｅにはそれぞれ流出側の接続管３ｄおよび３ｅが連結されている。各チーズおよび直管にはそれぞれ異なる濾材が充填されており、したがって接続管３ｃ、３ｄおよび３ｃからは、それぞれ異なった種類または量の濾材を通過してきた異なる水質の水が流出される。各管の連結には前述したようなクランプ手段を用いることができる。この実施例は、１本の給水管から多くの種類の水質の水を得ることができるので、病院、ホテル、レストランなど多種類の水質の水を必要とする場所に適用されることが好ましい。また、この実施例は、チーズの数を増やしたり組合せを変えたりすることにより、さらに多くの変形例を生むことができる。
【００４４】
食品加工工場や大型スーパーマーケットの厨房などのように、さらに多くの種類の水質の水を分けて使用したいという要望がある場合には、図７に示すように多くの分岐管路３４に連結されたヘッダ３５を利用すると良い。給水管となる各分岐管路３４に、それぞれ所望の濾材を充填した水処理ユニット１を連結することにより、各用途に適合した水質の水をそれぞれの部署で使用することができる。
【００４５】
給水管より大きな径の水処理ユニットを設置するスペースが無い場合、給水管自体の中に濾材を充填するようにしてもよい。これは、「本体管が給水管と同じ径であって、接続管が給水管と一体に連結されている、すなわち給水管の一部となっている実施例」と考えても良い。給水管自体の中に濾材を充填する場合には、ポンプを利用して水を圧送する。
【００４６】
また、給水管に取り付けられた水処理ユニットの前後を接続するバイパス管路を設け、弁を切り換えることにより、このバイパス管路を利用して水が水処理ユニットを繰り返し通過するような循環回路を形成するようにしてもよい。この循環回路内で水が繰り返し水処理ユニットを通過すると、水内における濾材の成分濃度が次第に高まってゆく。一定時間後、再び弁を切り換えてバイパス管路を閉鎖し、所望の濃度にまで高まった水を利用に供することができる。
【００４７】
本発明はさまざまな分野に応用することができる。例えば、冷温水、冷却水回路には、防錆機能を有する濾材を充填した水処理ユニットを用いることにより、かなりの効果が期待できる。
【００４８】
また、地震などの緊急災害時に飲料水を確保するには、管とクランプ手段と濾材とがあれば、数時間で水処理ユニットを完成することができ、手動式ポンプと消毒用塩素とを用いれば、半日で川の水を飲料水にすることができる。
【００４９】
冷却水のスケール（スライム、シリカ、マグネシウム）の除去およびレジオネラ菌除去を行うには、複数本の水処理ユニットを並列に設置し、濾材の交換を順次頻繁に行うことにより、確実な濾過を行うことができる。
【００５０】
【発明の効果】
本発明の水処理方法によれば、供給される水の水質に応じて、その水を用途に適合した水質となるよう、現場で迅速かつ厳密に調整することができる。
【図面の簡単な説明】
【図１】  本発明の水処理方法に用いられる水処理ユニットの一実施例を示す図であり、（ａ）は側面図、（ｂ）は縦断面図。（ｂ）ではクランプ手段を図示省略してある。
【図２】  水処理ユニットの本体管の開口端部に取り付けられるストッパを示す図であり、（ａ）は斜示図、（ｂ）は上面図。
【図３】  本体管の開口端部にストッパを取り付ける方法を説明する部分拡大断面図であり、右側に示したストッパ１５ａは外力を加えられて径を縮小されており、左側に示したストッパ１５ｂは外力を解放されて自身の弾性復帰力により径を拡大されている。
【図４】  本発明による水処理ユニットを一般住宅の戸外または戸内に設置する態様を説明する概略図。
【図５】  本発明による水処理ユニットをマンションの共用部に設置する態様を説明する概略図。
【図６】  本発明による水処理ユニットの変形実施例を示す図。
【図７】  本発明による水処理ユニットをヘッダと組み合わせた態様を示す概略図。
【図８】  本体管の開口端部に二つのストッパを取り付ける別の方法を説明する部分拡大断面図。
【符号の説明】
１  水処理ユニット、２  本体管、２ａ，２ｂ  チーズ、２ｃ，２ｄ，２ｅ  直管、３  接続管、３ａ．３ｃ，３ｄ，３ｅ  接続管、４  クランプ手段、５，６開口端部、７，１１  環状溝、８，１２  環状突出部、９  内端部、１０  外端部、１３ａ，１３ｂ，１３ｃ  濾材、１４，１５，１６  ストッパ、１７  中仕切り、１８  切り欠き、１９  リング部材、２０  メッシュ、２１  補強プレート、２２  半円状部材、２３  半径方向張り出し部、２４  ボルト、２５  ｓ給水縦管、２６  メーターボックス、２７  マンション、２８，３１，３２  水処理ユニットのセット、２９  ポンプ、３０，３３  給水縦管、３４  分岐管路、３５  ヘッダ、Ｒ  押さえリング。
【図１】
0003895958.tif 000002
【図２】
0003895958.tif 000003
【図３】
0003895958.tif 000004
【図４】
0003895958.tif 000005
【図５】
0003895958.tif 000006
【図６】
0003895958.tif 000007
【図７】
0003895958.tif 000008
【図８】
0003895958.tif 000009